(57)【要約】  本発明はＬＥＤモジュールと反射板を利用した看板照明システムに関するものである。このために、本発明は、内部に空間部が形成された直六面体の形状を有する看板フレームの上端前方にスクリーンがヒンジ結合され、前記看板フレームの空間部の内側中間部にＬＥＤモジュール部が横方向に備えられ、前記ＬＥＤモジュール部の上・下部に同一の形態の反射部が備えられてなったＬＥＤモジュールと反射板を利用した看板照明システムにおいて、前記ＬＥＤモジュール部は、モジュール基底部の前方にＬＥＤ付着部が尖って突出されて形成され、前記ＬＥＤ付着部の上・下部のモジュール基底部の外側表面は傾斜して傾斜面に形成されて前記傾斜面に反射塗料層が備えられ、前記ＬＥＤ付着部の上・下部のＬＥＤ支持面にＬＥＤモジュール組立体が両方向に備えられ、前記反射部は、前記ＬＥＤモジュール部のモジュール基底部の上・下部下端から前記看板フレームの上・下端前方まで外側に反射板支持台が傾斜して備えられ、前記反射板支持台に反射板が備えられることを特徴とする。【選択図】        図３
2014504373.tif 000002
【特許請求の範囲】
【請求項１】
内部に空間部が形成された直六面体形状を有する看板フレーム；  前記看板フレームの上端前方にヒンジ結合されるスクリーン；  前記看板フレームの空間部の内側中間部に横方向に備えられるＬＥＤモジュール部；及び前記ＬＥＤモジュール部の上・下部に同一の形態に備えられる反射部；  を含み、
前記ＬＥＤモジュール部は、モジュール基底部の前方にＬＥＤ付着部が尖って突出して形成され、前記ＬＥＤ付着部の上・下部のモジュール基底部の外側表面は、傾斜して傾斜面に形成されており、前記傾斜面には反射塗料層が備えられ、前記ＬＥＤ付着部の上・下部のＬＥＤ支持面にＬＥＤモジュール組立体が結合され、
前記反射部は、前記ＬＥＤモジュール部のモジュール基底部の上・下部から前記看板フレームの上・下端前方まで傾斜して構成された反射板支持台を含み、前記反射板支持台には反射板が備えられることを特徴とするＬＥＤモジュールと反射板を利用した看板照明システム。
【請求項２】
前記ＬＥＤモジュール部のＬＥＤ付着部の上・下部のＬＥＤ支持面には、支持顎がそれぞれ形成され、前記支持顎に前記ＬＥＤモジュール組立体が結合され、前記ＬＥＤモジュール組立体は、ＰＣＢ基板とＬＥＤを含むことを特徴とする請求項１に記載のＬＥＤモジュールと反射板を利用した看板照明システム。
【請求項３】
前記ＬＥＤ付着部の上・下部のモジュール基底部の傾斜面の角度は、２２゜であることを特徴とする請求項１または請求項２に記載のＬＥＤモジュールと反射板を利用した看板照明システム。
【請求項４】
前記看板フレームの内部には、安定器が備えられ、前記ＬＥＤモジュール組立体が含むＰＣＢ基板はアルミニウム板であることを特徴とする請求項１または請求項２に記載のＬＥＤモジュールと反射板を利用した看板照明システム。
【発明の詳細な説明】
【技術分野】
【０００１】
本発明は、ＬＥＤモジュールと反射板を利用した看板照明システムに関するもので、看板フレームの内側に備えられた反射部の間に傾斜して両方向にＬＥＤモジュール組立体が結合されたＬＥＤモジュール部が横方向に結合されるようにしたものである。
【背景技術】
【０００２】
一般的に、現在まで使用されてきた看板は、不透明なアクリル看板の内部に蛍光灯を内蔵させて必要時に点灯する蛍光灯照明看板やネオンサイン看板等が主流をなしており、発光素子看板や光ファイバ看板も一部使用されている。
【０００３】
蛍光灯照明看板の場合、内部に蛍光灯と安定器を内蔵しているため相当な厚さを有するだけでなく、蛍光灯の電球の耐久性が短くてしょっちゅう交換しなくてはならない問題点を抱えている。
【０００４】
ネオンサイン看板の場合、柔らかな照明効果のような高品質の照明効果を期待することはできるが、精巧な図形を表示することができず、近距離の小型看板には非常に粗悪な形態で現われるだけでなく、設置費用及び電力消耗が過多であるため需要者に少なくない負担を与えている。
【０００５】
発光素子（Ｌｉｇｈｔ−Ｅｍｉｔｔｉｎｇ  Ｄｉｏｄｅ；ＬＥＤ）を利用した看板は、耐久性が長く、設置費用及び電力消耗が少ない長所を有している。しかし、看板の表示面に垂直に発光素子が光を照射して照明するので、発光素子がある部分とそうでない部分の間に明暗差が発生し、照明の品質はネオンサインまたは蛍光灯が表現することができる柔らかな照明効果のような高品質の照明効果を期待することができない問題点を抱えている。
【０００６】
そして、発光素子が照明看板の表示面に垂直に設置されて表示面を照明するため、表示面の面積に対応する多量の発光素子が必要な問題点も抱えている。
【発明の概要】
【発明が解決しようとする課題】
【０００７】
本発明は、設置費用及び電力消耗が最小化されるようにして需要者に与える負担をより少なくすることができるようにするなかで、看板の表示面で発生する明暗の差（陰影現象）が発生することを防止して、柔らかな照明効果のような高品質の照明効果を得ることができるようにし、またＬＥＤで発生した熱が容易に放出されることができるようにしたものである。
【課題を解決するための手段】
【０００８】
本発明は、内部に空間部が形成された直六面体の形状を有する看板フレーム１０の上端前方にスクリーン２０がヒンジ結合され、前記看板フレーム１０の空間部の内側中間部にＬＥＤモジュール部３０が横方向に備えられ、前記ＬＥＤモジュール部３０の上・下部に同一の形態の反射部４０が備えられてなったＬＥＤモジュールと反射板を利用した看板照明システムにおいて、前記ＬＥＤモジュール部３０は、モジュール基底部３１０の前方にＬＥＤ付着部３２０が尖って突出して形成され、前記ＬＥＤの付着部３２０の上・下部のモジュール基底部３１０の外側表面は、傾斜して傾斜面３１１に形成されて前記傾斜面３１１に反射塗料層３１２が備えられ、前記ＬＥＤ付着部３２０の上・下部のＬＥＤ支持面３２１にＬＥＤモジュール組立体３３０が両方向に備えられ、前記反射部４０は、前記ＬＥＤモジュール部３０のモジュール基底部３１０の上・下部下端から前記看板フレーム１０の上・下端前方まで外側に反射板支持台４１０が傾斜して備えられて、前記反射板支持台４１０に反射板４２０が備えられることを特徴とする。
【０００９】
また、前記ＬＥＤモジュール部３０のＬＥＤ付着部３２０の上・下部のＬＥＤ支持面３２１には、支持顎３２３がそれぞれ形成されて前記支持顎３２３にＬＥＤモジュール組立体３３０が結合されるが、前記ＬＥＤモジュール組立体３３０は、ＰＣＢ基板３３１にＬＥＤ３３２が備えられることを特徴とする。
【００１０】
また、前記ＬＥＤ付着部３２０の上・下部のモジュール基底部３１０の傾斜面３１１の角度は、外側にそれぞれ２２゜傾斜して形成されることを特徴とする。
【００１１】
そして前記看板フレーム１０の内部には、安定器５０が備えられ、前記ＬＥＤモジュール組立体３３０のＰＣＢ基板３３１は、アルミニウム板であることを特徴とする。
【発明の効果】
【００１２】
本発明は、看板フレームの内側に備えられた反射部の間に傾斜して両方向に結合されたＬＥＤモジュール部が横方向に固定されるようにすることにより、ＬＥＤモジュール組立体で発生した光の一部が、モジュール組立体の中央前側に向かって照らされるなかで、ＬＥＤモジュール部によって光の残りが反射部によって再び反射されてスクリーンの背面に照らされるようになることにより、看板の表示面で陰影現象が発生することを防止することができる効果を得ることができる。
【００１３】
また、これによって全体的に柔らかな照明効果のような高品質の照明効果をさらに得ることができる。
【００１４】
同時に、設置費用及び電力消耗が最小化されるようにして需要者に与える負担をより少なくすることができるようにするなかで、ＬＥＤで発生した熱が容易に放出されることができる効果をさらに得ることができる。
【図面の簡単な説明】
【００１５】
【図１】本発明によるＬＥＤモジュールと反射板を利用した看板照明システムのスクリーンを開放した状態を図示した斜視図である。
【図２】本発明によるＬＥＤモジュールと反射板を利用した看板照明システムの分解斜視図である。
【図３】本発明によるＬＥＤモジュールと反射板を利用した看板照明システムの内部構成を図示した縦断面図である。
【発明を実施するための形態】
【００１６】
本発明の実施例を添付図面を参照して説明すれば次の通りである。
【００１７】
本発明によるＬＥＤモジュールと反射板を利用した看板照明システムは、図１ないし図３に示されたように、看板の表示面であるスクリーン２０で発生する陰影現象を防止することができる機能を有するもので、看板フレーム１０、スクリーン２０、ＬＥＤモジュール部３０及び反射部４０から構成されている。すなわち、空間部が内部に形成された直六面体の形状を有する看板フレーム１０の上端前方にスクリーン２０がヒンジ結合され、前記看板フレーム１０の空間部の内側中間部にＬＥＤモジュール部３０が横方向に備えられ、前記ＬＥＤモジュール部３０の上・下部に同一の形態を有する反射部４０が備えられている。
【００１８】
前記ＬＥＤモジュール部３０は、モジュール基底部３１０の前方にＬＥＤ付着部３２０が尖って突出するように形成され、前記ＬＥＤ付着部３２０の上・下部のモジュール基底部３１０外側表面は、傾斜を有する傾斜面３１１が形成されている。
【００１９】
前記傾斜面３１１には所定の厚さを有する反射塗料層３１２が備えられ、後述するＬＥＤ３３２で発生する光の一部が中央に向かって集められた状態でスクリーン２０の背面が照らされることができるように構成されている。
【００２０】
前記ＬＥＤ付着部３２０の上・下部のＬＥＤ支持面３２１には、ＬＥＤモジュール組立体３３０が安定して結合されることができるように構成されている。
【００２１】
このために、前記ＬＥＤモジュール部３０のＬＥＤ付着部３２０には、上・下部のＬＥＤ支持面３２１に支持顎３２３がそれぞれ形成されて前記支持顎３２３にＬＥＤモジュール組立体３３０が結合されるように構成されている。
【００２２】
前記ＬＥＤモジュール組立体３３０のＰＣＢ基板３３１は、アルミニウム板からなり、ＬＥＤ３３２で発生した熱が容易に伝導されて冷却されることができるように構成されている。
【００２３】
前記ＬＥＤ付着部３２０の上・下部のモジュール基底部３１０の傾斜面３１１の角度αは、外側にそれぞれ２２〜２４゜に傾斜して形成され、ＬＥＤ３３２で発生した光がスクリーン２０の背面に１ヶ所に集められることができるように構成されている。このような傾斜面３１１の角度αは、２２゜を有するようにすることがさらに望ましい．
前記ＬＥＤモジュール組立体３３０は、長さ方向に長く連続するように形成されたＰＣＢ基板３３１にＬＥＤ３３２が同一の方向に接続具備されるように構成されている。
【００２４】
前記反射部４０は、ＬＥＤ３３２で発生した光が直接反射してスクリーン２０に照らされるようにする機能を有するもので、前記ＬＥＤモジュール部３０のモジュール基底部３１０には上・下部下端から前記看板フレーム１０の上・下端の前方まで外側に反射板支持台４１０が傾斜して備えられ、前記反射板支持台４１０の前方または前側に反射板４２０の背面が接することができるように構成されている。
【００２５】
前記看板フレーム１０の内部には、別途の安定器５０が備えられ、ＬＥＤモジュール組立体３３０を構成するＰＣＢ基板３３１に接続されたＬＥＤ３３２に安定した電源が印加されることができるように構成されている。
【００２６】
このような構成を有するＬＥＤモジュールと反射板を利用した看板照明システムは、まず、未図示の電源スィッチをＯＮすれば、安定器５０から電源がＬＥＤモジュール組立体３３０のＰＣＢ基板３３１に印加されると同時にＬＥＤ３３２で光が発生するようになる。
【００２７】
次に、ＬＥＤ３３２で発生した光は、図３に図示されたように、一部は直接看板フレーム１０の前面にヒンジで結合されたスクリーン２０に照らされると同時に、他の一部はモジュール基底部３１０に形成された傾斜面３１１の反射塗料層３１２によって反射してスクリーン２０の背面の中に照らされるようになり、残りは反射板支持台４１０によって支持された反射板４２０によって反射してスクリーン２０の背面に照らされるようになることにより、ＬＥＤ３３２が備えられたスクリーン２０の背面で発生する陰影現象が防止されることができるようになる。
【００２８】
以上の通り、本発明は上記した実施例に限って説明したが、本発明の範囲と思想を外れない範囲内で多様に変形実施されることができることは勿論である。
【符号の説明】
【００２９】
１０：看板フレーム
２０：スクリーン
３０：ＬＥＤモジュール部
４０：反射部
３１０：モジュール基底部
３１１：傾斜面
３１２：反射塗料層
３２０：ＬＥＤ付着部
３２１：ＬＥＤ支持面
３３０：ＬＥＤモジュール組立体
４１０：反射板支持台
４２０：反射板
【図１】
2014504373.tif 000003
【図２】
2014504373.tif 000004
【図３】
2014504373.tif 000005
【国際調査報告】
2014504373.tif 000006
2014504373.tif 000007
2014504373.tif 000008
2014504373.tif 000009